(57)【要約】【課題】  ポンプを口部に取着可能とした薄肉容器として、内容物の吐出に応じて容器の潰れ方を規制するようにした薄肉容器を提供すること。【解決手段】  口部にポンプを取着し、胴周壁を薄肉とした容器であって、胴周壁に柱部を設け、内容物の吐出時に胴周壁の潰れ方を規制するようにしたことを特徴とする。【選択図】  図１
2005088979.tif 000002
【特許請求の範囲】
【請求項１】
口部にポンプを取着し、胴周壁を薄肉とした容器であって、
胴周壁に柱部を設け、内容物の吐出時に胴周壁の潰れ方を規制するようにしたことを特
徴とする薄肉容器。
【請求項２】
柱部が、リブであることを特徴とする請求項１記載の薄肉容器。
【請求項３】
リブが、上下方向に延びる縦リブであることを特徴とする請求項１、２記載の薄肉容器。
【請求項４】
リブが、胴周壁の表面に螺旋状に延びる螺旋リブであることを特徴とする請求項１、２記載の薄肉容器。
【請求項５】
リブが、容器の内面に突設された突条であることを特徴とする請求項１〜４記載の薄肉容器。
【請求項６】
柱部が、胴周壁内面に刻設された凹溝であることを特徴とする請求項１記載の薄肉容器。
【請求項７】
口部にポンプを取着し、胴周壁を薄肉とした容器であって、
胴周壁に、膨出部と縮小部を交互に配設したことを特徴とする薄肉容器。
【請求項８】
口部にポンプを取着し、胴周壁を薄肉とした容器であって、
胴周壁に、厚肉部と薄肉部を交互に配設したことを特徴とする薄肉容器。
【発明の詳細な説明】
【技術分野】
【０００１】
本発明は、薄肉容器、とくにポンプを取着した取替え用の薄肉容器に関するものである。
【背景技術】
【０００２】
薄肉のレフィル容器（１）を外容器内に収容し、レフィル容器（１）の口部に縦形手動ポンプ（４１）を装着したポンプ付容器は、従来より知られている（例えば、特許文献１参照。）。
上記文献１記載のレフィル容器は、容器中心に吸上げ筒兼用支柱を配設し、液注出時にレフィル容器内の内容物の減少につれて、容器の肩部、胴部の薄肉壁が、容器内が負圧になることにより、次第に収縮するようにしている。
【特許文献１】特開２００２−２２４５９９号公報
【発明の開示】
【発明が解決しようとする課題】
【０００３】
しかしながら、上記のポンプ付容器では、レフィル容器の内容物が吸上げられた際に、肩部、胴周壁が規則正しく潰れないという問題があった。
そのため、とくにレフィル容器が外部から視認できる場合、外観が劣るという問題があった。
【０００４】
本発明は、上記問題を解決することを課題として、ポンプを口部に取着可能とした薄肉容器として、内容物の吐出に応じて容器の潰れ方を規制するようにした薄肉容器を提供することを目的とする。
【課題を解決するための手段】
【０００５】
本発明は、上記の課題を解決するため、薄肉容器として、口部にポンプを取着し、胴周壁を薄肉とした容器であって、胴周壁に柱部を設け、内容物の吐出時に胴周壁の潰れ方を規制するようにしたことを特徴とする構成を採用する。
【０００６】
柱部が、リブであることを特徴とする構成を採用し、リブの実施例として、リブが、上下方向に延びる縦リブであることを特徴とする構成、または、リブが、胴周壁の表面に螺旋状に延びる螺旋リブであることを特徴とする構成、或いは、リブが、容器の内面に突設された突条であることを特徴とする構成を採用する。
【０００７】
柱部の実施例として、柱部が、胴周壁内面に刻設された凹溝であることを特徴とする構成を採用する。
【０００８】
薄肉容器の別実施例として、口部にポンプを取着し、胴周壁を薄肉とした容器であって、胴周壁に、膨出部と縮小部を交互に配設したことを特徴とする構成を採用する。
【０００９】
さらに、薄肉容器の別実施例として、口部にポンプを取着し、胴周壁を薄肉とした容器であって、胴周壁に、厚肉部と薄肉部を交互に配設したことを特徴とする構成を採用する。
【発明の効果】
【００１０】
本発明は、上記のように構成されているから、次の効果を奏する。
胴周壁にリブまたは凹溝を設けたから、リブまたは凹溝を柱または支軸として胴周壁が変形し、潰れ方を規制することができ、潰れたときの外観もきれいになっている。
【００１１】
胴部の胴周壁は薄肉となっているので資源の節約となり、また、内容物を使い切ったときには、容器が減容されているので、そのまま廃棄することができる。
【発明を実施するための最良の形態】
【００１２】
本発明は、薄肉容器の胴周壁に柱部または支軸部を設けることによって、内容物吐出時に、容器の潰れ方を規制したもので、以下実施例を示して説明する。
【実施例１】
【００１３】
本発明の第１実施例について、図面を参照して説明する。
図１において、Ａは容器、Ｂは容器Ａの口部に取着されたポンプ、Ｃは取付キャップ、Ｄは外容器である。  容器Ａには、液体、クリーム状の粘性液等の内容物が収容される。
【００１４】
図１，２に示すように、容器Ａは、口部１と肩部２、胴部３、底部４とからなり、口部１外周には、ねじ５が螺設されている。
胴部３の胴周壁３ａには、上下方向に延びる断面円弧状の縦リブ６が設けられており、図２（ｂ），（ｃ）に示すように、縦リブ６は、凸リブ６ａまたは凹リブ６ｂとすることができる。
【００１５】
縦リブ６は、実施例では３本を等間隔に配設しているが、１または２本としてもよく、その間隔も任意にとることができる。
また、縦リブ６の断面形状は、円弧状に限られず、三角形状、角形状など任意の形状とすることができる。
胴部３の胴周壁３ａの肉厚は、薄肉となっており、内容物の吐出とともに潰されるようになっている。
【００１６】
図１に示すように、ポンプＢは、取付キャップＣにより容器Ａの口部１に取着されており、その上端には、吐出ノズル７が連設されている。
ポンプＢは、前記従来例と同様のピストンとシリンダーを具えており、シリンダーの下端には、吸込みパイプが垂設されている。
外容器Ｄは、ポンプ付き容器を収納できる形状のものであればよい。
【００１７】
次に、本実施例容器の使用態様と作用効果について説明する。
本発明は、容器Ａに液体、クリーム状の粘性液等の内容物を収容しポンプＢを取着したポンプ付容器と、外容器Ｄ、および内容物を収容し仮キャップで閉蓋した取替え用の容器とをセットにして市販される。
【００１８】
ポンプ付容器の使用にあたって、取付キャップＣを手でつかんで吐出ノズル７を押下げ操作すると、ポンプＢによって容器Ａから内容物が吸上げられ、吐出ノズル７から吐出する。
【００１９】
吐出に応じて、容器Ａ内が減圧され、胴周壁３ａが変形し、押潰されていくが、その際、縦リブ６が柱となって隣り合う縦リブ６の間の胴周壁３ａが軸心に向かって凹んでいき、容器Ａの胴周壁３ａの潰れ方が規制される。
【００２０】
容器Ａ内のすべての内容物を使い切ったときには、図３に示すように、縦リブ６間の胴周壁３ａの中央部８が、容器のほぼ中心に沿って接合し、縦リブ６の両側の胴周壁３ａも相互に接合するようになる。
容器Ａを廃棄するときには、ポンプＢを取外し、別の薄肉容器に付け替え、使用済みの容器は、減容されているので、そのまま廃棄することができる。
【実施例２】
【００２１】
次に、リブの形状を変えた第２実施例について説明する。
前実施例では、リブを上下方向に延びるように設けたが、本実施例は、３本のリブを螺旋状に延びるように設けたもので、図４に示すように、容器Ａの胴周壁３ａに、３本のリブを等間隔をおいて螺旋状に延びるように設けた螺旋リブ１０が配設されている。
【００２２】
螺旋リブ１０の線間距離は、少なくとも容器直径より大きくなるように螺旋角度を選定することが好ましい。
また、螺旋リブ１０を２本または１本とすることもでき、そのときには、螺旋角度をさらに大きくできる。
【００２３】
螺旋リブ１０の断面形状は、第１実施例と同様に、円弧状その他任意の形状とすることができる。
また、螺旋リブ１０の線間距離を小さくし、螺旋リブの本数を多く設けた場合、或いは螺旋リブ１０の螺旋角度を小さくすることによって螺旋を多重に形成し、線間距離を小さくした場合には、容器の胴周壁が縦方向に収縮し、容器を縦方向に減容させることもできる。
【００２４】
吐出時には、螺旋リブ１０の間の胴周壁３ａが、螺旋リブ１０を柱または支軸として変形し押潰されるので、前記第１実施例と同様の作用効果を得ることができる。
【実施例３】
【００２５】
次に、胴周壁外表面を平坦な筒状面とし、内面にリブとして突条を設けた第３実施例について説明する。
図５において、Ａａは容器であり、第１実施例と同様に、口部１と肩部２、胴部３、底部４とからなっている。
【００２６】
胴部３の胴周壁１１は、表面を平坦な筒状面とした薄肉の壁面であり、内面には、図５（ｂ）に示すように、上下方向に延びる突条１２が形成されている。
上記突条１２は、第２実施例と同様に、螺旋方向に延びるものであってもよい。
【００２７】
内容物の吐出時には、突条１２の間の胴周壁１１が突条１２を柱として変形して容器が潰されていくので、押潰しにあたっては、前記各実施例と同様の作用効果を得ることができる。
【００２８】
そして、また、胴周壁１１の外表面は平坦な筒状面であるから、印刷、ホットスタンプ、転写等の加飾が容易にでき、加飾性はよくなるという効果も得られる。
【実施例４】
【００２９】
次に、胴周壁外表面を平坦な筒状面とし、内面に凹溝を設けた第４実施例について説明する。
図６において、Ａｂは容器であり、口部１と肩部２、胴部３と底部４とからなっている。
胴部３の胴周壁１３は、前記第３実施例と同様に、外表面を平坦な筒状面とした薄肉の壁面であり、内面には、上下方向に延びる凹溝１４が刻設されている。
【００３０】
内容物の吐出時には、胴周壁１３に負圧がかかり、胴周壁１３に均一な力が働くが、凹溝１４の左右では、図６（ｃ）に示すように、凹溝１４を支軸として、隣接する胴周壁１３が内方に湾曲して変形する。
したがって、凹溝１４の部分を柱として薄肉の胴周壁１３が変形し、さらに、前実施例と同様に、胴周壁１３の外表面は平坦な筒状面であるから、前記第３実施例と同様の作用効果がもたらされる。
【００３１】
上記実施例では、凹溝１４を上下方向に延びるように配設したが、螺旋状に延ばしてもよい。
【実施例５】
【００３２】
次に、胴周壁の曲率を変えた第５実施例について説明する。
図７に示すように、容器Ａｃは、口部１、肩部２、胴部３、底部４とから構成され、胴部３の胴周壁１５は、均等な肉厚を有するものであるが、胴周壁１５は、容器の中心からの距離が大きい円周Ｃ１に内接し等間隔に位置する三つの膨出部１６ａ、ｂ、ｃと、該膨出部１６の間に膨出部１６より内方の円周Ｃ２上に位置する三つの縮小部１７ａ、ｂ、ｃからなり、膨出部１６ａ、ｂ、ｃと縮小部１７ａ、ｂ、ｃは、等間隔に交互に配設されている。
【００３３】
膨出部１６の曲率半径は、縮小部１７の曲率半径より小さくなっており、内容物の吐出時には、曲率半径の大きい縮小部１７に荷重が集中してかかり、縮小部１７が内方に変形して潰れ始める。
その結果、胴周壁１５は、図７（ｃ）に示すように、膨出部１６を柱にして潰される。
【００３４】
上記実施例において、膨出部１６の内接する円周に対して縮小部１７の位置する円周を小さくすると、潰れ方を確実にすることができ、縮小部１７の容器中心からの位置、縮小部、膨出部の曲率半径は、適宜選択できる。
【実施例６】
【００３５】
次に、胴周壁の肉厚を変えた第６実施例について説明する。
図８に示すように、容器Ａｄは、口部１、肩部２、胴部３、底部４とから構成され、胴部３の胴周壁２０は、三つの厚肉部２１ａ、ｂ、ｃと薄肉部２２ａ、ｂ、ｃが交互に等間隔をおいて配設されている。
【００３６】
内容物の吐出時には、図８（ｃ）に示すように、まず、薄肉部２２から潰れ始め、厚肉部２１の中央を柱として胴周壁２０が潰れる。  
【００３７】
上記実施例では、厚肉部２１と薄肉部２２を、三個所に設けているが、二個所としてもよい。
【００３８】
前記各実施例では、吐出時にはポンプ付容器を単独で使用したが、有底筒状の外容器Ｄ内に収納して使用してもよい。
【００３９】
また、容器口部の挿入孔を具えた蓋体と、有底筒状の容器本体とからなる外容器を用い、蓋体に嵌挿した容器口部１に、ポンプＢを装着した取付キャップＣを嵌着するようにしてもよい。
その場合には、外容器Ｄをもって吐出ノズル７を押下げ操作することができ、取扱いを一層容易とすることができる。
さらにまた、外容器と薄肉容器との関連構造については、その他にも任意の構成を採用することができる。
【００４０】
前記各実施例では、胴周壁の潰れ方を規制するためにもっとも好ましい例について説明しているが、リブまたは突条、凹溝の本数、間隔、或いは胴周壁の膨出部、厚肉部の数、間隔についてはそれに限定されず、任意に選択することもできる。
また、リブとして、上下方向に連続したリブ、突条または凹溝を用いているが、複数のリブ、突条または凹溝を上下方向に間欠的に配列するようにしてもよい。
また、一つの容器に、リブ、突条、凹溝、膨出部、厚肉部を組み合わせて設けてもよい。
【００４１】
前記各実施例では、容器口部に吐出ポンプを取着しているが、吐出ポンプに変え、トリガー式スプレー、その他のスプレーを取着してもよい、
【産業上の利用可能性】
【００４２】
ポンプを取着した薄肉容器において、内容物の注出に応じて容器の潰れ方を規制するようにしているから、薄肉の吐出容器、或いは液噴霧容器等に有用である。
【図面の簡単な説明】
【００４３】
【図１】本発明のポンプ付容器の斜視図である。
【図２】容器の説明図で、（ａ）は一部断面正面図、（ｂ）は図（ａ）のＡ−Ａ線における胴周壁の横断面図、（ｃ）は同じく変形実施例の横断面図である。
【図３】ポンプ付容器の潰れ時の斜視図である。
【図４】第２実施例のポンプ付容器の斜視図である。
【図５】第３実施例の容器の説明図で、（ａ）は一部断面正面図、（ｂ）は図（ａ）のＡ−Ａ線における胴周壁の横断面図である。
【図６】第４実施例の容器の説明図で、（ａ）は一部断面正面図、（ｂ）は図（ａ）のＡ−Ａ線における胴周壁の横断面図、（ｃ）は変形時の説明図である。
【図７】第５実施例の容器の説明図で、（ａ）は一部断面正面図、（ｂ）は図（ａ）のＡ−Ａ線における胴周壁の横断面図、（ｃ）は変形時の説明図である。
【図８】第６実施例の容器の説明図で、（ａ）は一部断面正面図、（ｂ）は図（ａ）のＡ−Ａ線における胴周壁の横断面図、（ｃ）は変形時の説明図である。
【符号の説明】
【００４４】
Ａ、Ａａ、Ａｂ、Ａｃ、Ａｄ  容器
Ｂ      ポンプ
Ｃ      取付キャップ
Ｄ      外容器
１      口部
２      肩部
３      胴部
３ａ、１１、１３、１５、２０    胴周壁
４      底部
５      ねじ
６      縦リブ
６ａ    凸リブ
６ｂ    凹リブ
７      吐出ノズル
８      中央部
１０    螺旋リブ
１２    突条
１４    凹溝
１６    膨出部
１７    縮小部
２１    厚肉部
２２    薄肉部
【図１】
2005088979.tif 000003
【図２】
2005088979.tif 000004
【図３】
2005088979.tif 000005
【図４】
2005088979.tif 000006
【図５】
2005088979.tif 000007
【図６】
2005088979.tif 000008
【図７】
2005088979.tif 000009
【図８】
2005088979.tif 000010